(57)【特許請求の範囲】
【請求項１】
ロープ材をネット状に編成して構成した防護用ネットであって、
ロープ材で構成する複数の連続輪要素と、
前記複数の連続輪要素を形成するための複数の閉鎖用緩衝具と、
隣り合う前記複数の連続輪要素の間を連結するための複数の連結用緩衝具とを具備し、
前記連続輪要素は互いに絡み合わさずに間隔を隔てて形成した複数の単体輪と、
隣り合う各単体輪の間に位置する複数の橋絡部とにより構成し、
前記複数の単体輪が拡縮するように、ロープ材の交差部に該ロープ材の摺動を許容する閉鎖用緩衝具を取り付け、
隣り合う連続輪要素の単体輪の中間地点と橋絡部とを向かい合わせに配置するとともに、該単体輪の中間地点と橋絡部との間を連結用緩衝具で連結し、
前記単体輪を千鳥状に配置したことを特徴とする、
防護用ネット。
【請求項２】
前記複数の連続輪要素を横向きにして多段的に配置したことを特徴とする、請求項１に記載の防護用ネット。
【発明の詳細な説明】
【技術分野】
【０００１】
本発明は雪崩や落石、土石流、崩土、津波等の各種の衝撃エネルギーを効率良く減衰して受け止める防護用ネットに関する。
【背景技術】
【０００２】
ロープ材を使用して無端のリング体を形成し、上下左右に隣り合う各リング体を係合させて鎖状に形成した防護用ネットが特許文献１，２に開示されている。
特許文献１，２に開示されたネットは、図４（Ａ）に示すように各リング体ａが周囲４個または６個のリング体ａとそれぞれ係合していて、受撃時にリング体ａの形状が円形から四角形または六角形に変更する際の変形抵抗で以て衝撃を吸収する。
【０００３】
また、ロープ材をループさせて複数の単体輪を形成し、各単体輪を形成するロープ材の重合部と、隣り合う単体輪の交差部にそれぞれ緩衝具を組み付けた防護用ネットが特許文献３に開示されている。
特許文献３に開示されたネットは、各単体輪の変形抵抗と、ロープ材の摺動抵抗との複合作用により衝撃を吸収する。
【先行技術文献】
【特許文献】
【０００４】
【特許文献１】特開平８−５３８１４号公報
【特許文献２】特開平１０−８８５２７号公報
【特許文献３】特開平１１−３５０４３２号公報
【発明の概要】
【発明が解決しようとする課題】
【０００５】
従来の防護用ネットにあってはつぎのような問題点がある。
＜１＞図４に示すように、特許文献１，２に開示されたネットでは、４個のリング体ａが絡み合う場合、変形前のリング体ａの径ｄ１を１００％とすると受撃時における径ｄ２（間隔）の増加量が１１５％と小さい。６個のリング体ａを絡み合わせた場合には、間隔の増加量がこれより小さくなる。
このように従来のネットは各リング体ａの変形量が小さいために、ネット全体の衝撃吸収性能が低い範囲に抑えられていた。
＜２＞特許文献１，２に開示されたネットは無端のリング体ａを互いに絡み合せた特殊構造を呈するため、ネットの製造コストがきわめて高くつく。
＜３＞複数のリング体ａが絡み合った特許文献１，２に開示されたネットは、受撃時に一部のリング体ａが円形から多角形に変形するものの、荷重の伝達範囲が狭い範囲に限られ、衝撃荷重をネット全体で分散して吸収することが困難である。
リング体ａが円形から多角形に変形する際に、隣り合うリング体ａ間における荷重伝達が不均一となるためである。
＜４＞特許文献３に開示されたネットは、実施工や各種の試験を行い特許文献１，２と比べて高い減衰性能を有することが確認されたものの、ロープ材の摺動性に改善すべき余地がある。
【０００６】
本発明は以上の点に鑑みて成されたもので、その目的とするところは簡易な構造で以てネットの変形性（フレキシビリティー）を高めて、衝撃吸収性能を格段に高められる防護用ネットを提供することにある。
【課題を解決するための手段】
【０００７】
本発明はロープ材をネット状に編成して構成した防護用ネットであって、ロープ材で構成する複数の連続輪要素と、前記複数の連続輪要素を形成するための複数の閉鎖用緩衝具と、隣り合う前記複数の連続輪要素の間を連結するための複数の連結用緩衝具とを具備し、前記連続輪要素は互いに絡み合わさずに間隔を隔てて形成した複数の単体輪と、隣り合う各単体輪の間に位置する複数の橋絡部とにより構成し、前記複数の単体輪が拡縮するように、ロープ材の交差部に該ロープ材の摺動を許容する閉鎖用緩衝具を取り付け、隣り合う連続輪要素の単体輪の中間地点と橋絡部とを向かい合わせに配置するとともに、該単体輪の中間地点と橋絡部との間を連結用緩衝具で連結し、前記単体輪を千鳥状に配置したことを特徴とする。
換言すれば、本発明はロープ材をネット状に編成して構成し、所定の間隔を隔てて固定点に固定される防護用ネットであって、一本のロープに余長をもって曲げ開始点から屈曲させてループを構成し、ループの終点が開始点と一致した交点を、一定以上の張力が作用したときに、摺動可能な閉鎖用緩衝具で固定し、前記交点から一定間隔ロープを直線状に伸ばし、前記と同様な第２のループを前記の第１ループと交差させることなく構成し、順次、繰り返して多数のループを有する第１の連続体要素を作成し、同様な方法で第２の連続体要素を作成し、第２の連続体要素の直線部と第１の連続体要素のループ下部が一致するように第２の連続体要素を移動させ、前記の摺動可能な連結用緩衝具で両者を固定し、順次、第３、第４の連続体要素を連結して構成したことを特徴とする。
本発明の他の形態において、前記複数の連続輪要素を横向きにして多段的に配置する。
【発明の効果】
【０００８】
本発明では複数の連続輪要素を構成する隣り合う左右の各単体輪の間が絡み合っていない。
しかも各単体輪の中間地点と橋絡部の間を連結した連結用緩衝具が単体輪の拡縮動作に悪影響を与えない。
そのため、各単体輪の縮径変形量が従来と比べて大幅に増大し、ネット全体の変形性（フレキシビリティー）が高まって衝撃吸収性能が格段に向上する。
【図面の簡単な説明】
【０００９】
【図１】本発明に係る防護用ネットの一部の正面図
【図２】図１に示した防護用ネットの部分拡大図
【図３】受撃時における防護用ネットの一部の正面図
【図４】従来の防護用ネットの説明図で、（Ａ）は受撃前におけるネットの拡大モデル図、（Ｂ）は受撃後におけるネットの拡大モデル図
【発明を実施するための形態】
【００１０】
図１〜３を参照しながら本発明を実施するための好適な形態について説明する。
【００１１】
＜１＞防護用ネットの概要
図１を参照して説明すると、防護用ネットは所定の間隔を隔てて立設した支柱等の固定点の間に取り付けられるネットであって、ロープ材２０で構成する複数の連続輪要素１０Ａ，１０Ｂ，１０Ｃ・・・と、２本のロープ材２０の摺動を許容して把持して各連続輪要素１０Ａ，１０Ｂ，１０Ｃ・・・のループ状の単体輪２０ａ，２０ｂ，２０ｃ・・・を形成するための複数の閉鎖用緩衝具３０と、２本のロープ材２０の摺動を許容して把持して隣り合う複数の連続輪要素１０Ａ，１０Ｂ，１０Ｃ・・・の間を連結するための複数の連結用緩衝具４０と、により構成する。
【００１２】
本例では各単体輪２０ａ，２０ｂ，２０ｃ・・・の最上位に閉鎖用緩衝具３０を設け、防護用ネットの下辺に複数の連結用緩衝具４０を介して連続した端ロープ２５が水平に設けた形態を示す。
なお、端ロープ２５は必須ではなく省略する場合がある。
また、本発明に係る防護用ネットの向きは図１に示す向きに限定されるものではなく、例えば図を１８０度、９０度、又は４５度回転した状態で使用してもよい。
【００１３】
＜２＞連続輪要素
連続輪要素１０Ａは１本のロープ材２０からなり、ロープ材２０を複数のループ形状（又はスパイラルを展開した形状）に編成するとともに、ループさせたロープ材２０の交差部を閉鎖用緩衝具３０で把持して形成した複数の単体輪２０ａ，２０ａ・・・と、隣り合う左右の単体輪２０ａ，２０ａの間に連続性を有して位置する複数の橋絡部２１ａとにより構成する。
他の連続輪要素１０Ｂ，１０Ｃ・・・についても同様に、１本のロープ材１をもとに連続して形成した複数の単体輪２０ｂ，２０ｂ・・・、２０ｃ，２０ｃ・・・と、複数の橋絡部２１ａ，２１ｂ・・・、２１ｃ，２１ｃ・・・とにより構成する。
【００１４】
＜２．１＞素材例
防護用ネットを構成するロープ材２０や端ロープ２５には、ワイヤロープが好適であるが、ワイヤロープ以外にＰＣ鋼線、ＰＣ鋼より線や炭素繊維、アラミド繊維も使用可能である。
【００１５】
＜２．２＞単体輪と橋絡部の形状
各単体輪２０ａ，２０ｂ，２０ｃは連続した１本のロープ材２０の略円形、略楕円形等のループ状を呈する部位である。
各橋絡部２１ａ，２１ｂ，２１ｃは隣り合う左右の単体輪２０ａ，２０ａ（２０ｂ，２０ｂ、２０ｃ，２０ｃ）の間を連絡するロープであり、略直線形、または緩やかな円弧形を呈する。
【００１６】
＜２．３＞単体輪の千鳥配置
各連続輪要素１０Ａ，１０Ｂ，１０Ｃ・・・はそれぞれ単体輪一つ分だけ左右にずれていて、各単体輪２０ａ，２０ｂ，２０ｃ・・・が千鳥状に配置されている。
すなわち、最上位の連続輪要素１０Ａの単体輪２０ａの中間地点と、下位の連続輪要素１０Ｂの橋絡部２１ｂとが向かい合わせに配置され、該単体輪２０ａの中間地点と下位の橋絡部２１ｂとの間を連結用緩衝具３０が連結している。
二段目の連続輪要素１０Ｂと三段目の連続輪要素１０Ｃについても同様に単体輪２０ｂの中間地点と、下位の橋絡部２１ｃとが向かい合わせに配置され、該単体輪２０ｂの中間地点と下位の橋絡部２１ｃとの間を連結用緩衝具３０が連結する。三段目以降についても同様である。
【００１７】
＜２．４＞単体輪と橋絡部の寸法
各単体輪２０ａ，２０ｂ，２０ｃ・・・と各橋絡部２１ａ，２１ｂ，２１ｃ・・・は連続性を有する１本のロープ材で形成されている。
各単体輪２０ａ，２０ｂ，２０ｃ・・・の径と設置間隔は適宜選択する。
また各橋絡部２１ａ，２１ｂ，２１ｃ・・・の長さも適宜選択することができる。
【００１８】
＜２．５＞左右に隣り合う単体輪の関係
同列上に位置し左右に隣り合う各単体輪２０ａ，２０ａ・・・の間（２０ｂ，２０ｂ・・・の間、２０ｃ，２０ｃ・・・の間）は連続性を有するが、互いの摺動を互いに干渉し合わないように絡み合ってはいない。
各単体輪２０ａ（２０ｂ，２０ｃ・・・）を大径に形成した場合にあっても、左右に隣り合う各単体輪２０ａ（２０ｂ，２０ｃ・・・）が重なり合うことはあっても絡み合うことはない。
左右に隣り合う各単体輪２０ａ（２０ｂ，２０ｃ・・・）の絡み合いをなくしたのは、受撃時において互いに摺動を干渉し合わないようにして、各単体輪２０ａ，２０ｂ，２０ｃ・・・の変位量を増大させるためである。
【００１９】
＜２．６＞上下に隣り合う単体輪の関係
多段的に配置した複数の連続輪要素１０Ａ，１０Ｂ，１０Ｃ・・・を構成する上下の各単体輪２０ａ，２０ｂ，２０ｃ・・・の間も互いに絡み合っていない。
【００２０】
＜２．７＞上下に隣り合う単体輪と橋絡部の関係
上下に隣接する各連続輪要素１０Ａ，１０Ｂ，１０Ｃ・・・の間は、複数の連結用緩衝具４０が連結してあって、荷重の伝達が可能である。
具体的には、隣接させた上位の各単体輪２０ａ，２０ｂ，２０ｃ・・・の中間地点である底部のロープと、下位の橋絡部２１ａ，２１ｂ，２１ｃ・・・を構成するロープの間を、連結用緩衝具４０が連結する。
各単体輪２０ａ，２０ｂ，２０ｃ・・・の中間地点と、下位の橋絡部２１ａ，２１ｂ，２１ｃ・・・の間を連結したのは、各単体輪２０ａ，２０ｂ，２０ｃ・・・を絡み合せずに上下に隣接する各連続輪要素１０Ａ，１０Ｂ，１０Ｃ・・・間に連続性を持たせて荷重伝達を可能に構成するためである。
このように本発明では千鳥状に配置した単体輪２０ａ，２０ｂ，２０ｃ・・・が直接絡み合うことはないので、各単体輪２０ａ，２０ｂ，２０ｃ・・・の大きさを任意に設定することができる。
【００２１】
＜３＞閉鎖用緩衝具
閉鎖用緩衝具３０は各単体輪２０ａ，２０ｂ，２０ｃ・・・のループ形状（閉鎖形状）を維持するためと、受撃時に各単体輪２０ａ，２０ｂ，２０ｃ・・・の拡縮を許容する摩擦摺動式の緩衝装置である。
閉鎖用緩衝具３０としては、例えば公知のワイヤクリップや、ロープ材を挟持可能な複数の挟持板と、これらの挟持板を締め付けるボルト、ナットを組み合せた緩衝装置を適用することができる。設定した把持力（摺動摩擦抵抗）を越えると２本のロープ材の摺動を許容する緩衝装置であれば適用可能である。
【００２２】
＜４＞連結用緩衝具
連結用緩衝具４０は上下に隣り合う連続輪要素１０Ａと１０Ｂ間、１０Ｂと１０Ｃ間・・・を連結するため摩擦摺動式の緩衝装置である。
具体的には隣接させた上位の各単体輪２０ａ，２０ｂ，２０ｃの中間地点と下位の橋絡部２１ａ，２１ｂ，２１ｃの間に取り付ける。
連結用緩衝具４０としては、例えば公知のワイヤクリップや、ロープ材を挟持可能な複数の挟持板と、これらの挟持板を締め付けるボルト、ナットを組み合せた緩衝装置を適用することができる。
【００２３】
［防護用ネットの製作方法］
防護用ネットの製作方法の一例について説明する。
【００２４】
＜１＞連続輪要素の製作
１本のロープ材２０を使用してループを連鎖的に形成し、各ループの交差部を閉鎖用緩衝具３０で固定しながら、複数の単体輪２０ａ，２０ａ・・・が横列した最上段の連続輪要素１０Ａを製作する。同様に２段目以降の連続輪要素１０Ｂ，１０Ｃ・・・を製作する。
【００２５】
すなわち、一本のロープ材２０に余長をもって曲げ開始点から屈曲させてループ状を呈する複数の単体輪２０ａ，２０ａ・・・を形成し、ループの終点がループの開始点と一致した交点を、一定以上の張力が作用したときに、摺動可能な閉鎖用緩衝具３０で固定する。
前記したループの交点から一定間隔のロープを直線状に伸ばし、前記と同様な第２のループ（単体輪）を前記の第１ループ（単体輪）と交差させることなく構成し、順次、繰り返して多数のループを有する第１の連続体要素１０Ａを作成する。同様の方法で第２、第３・・・の連続体要素１０Ｃ，１０Ｄ・・・を作成する。
【００２６】
＜２＞連続輪要素間の連結
つぎに複数の連続輪要素１０Ａ，１０Ｂ，１０Ｃ・・・を多段的に配置し、隣接させた上位の各単体輪２０ａ，２０ｂ，２０ｃ・・・と下位の橋絡部２１ａ，２１ｂ，２１ｃ・・・との間を連結用緩衝具４０で連結して、防護用ネットの組み立てを完了する。
【００２７】
すなわち、第２の連続体要素１０Ｂの直線部（橋絡部）と第１の連続体要素１０Ａのループ（単体輪）の下部が一致するように第２の連続体要素１０Ｂを移動させ、摺動可能な連結用緩衝具４０で両者を固定する。
順次、第３、第４の連続体要素１０Ｃ，１０Ｄ・・・の間を連結する。
【００２８】
また防護用ネットの他の組み立て方法として、各連続輪要素１０Ａ，１０Ｂ，１０Ｃ・・・の製作過程で連結用緩衝具４０を取り付けて組み立ててもよい。
本例では複数本のロープ材２０と、複数の緩衝具３０，４０を用いるだけで防護用ネットを簡単かつ低コストに製作できる。
防護用ネットは一本の連続したロープ材２０を互いに絡み合わさずにネット状に編成するだけであるから、防護用ネットの製作に特別高度な製作技術は不要であり、さらに特殊構造の製造装置も不要である。
【００２９】
［衝撃吸収作用］
つぎに周辺を固定した防護用ネットの中央に落石等の衝撃が作用した場合の衝撃吸収作用について説明する。
なお、防護用ネットの取付ける固定点は支柱に限定されず、立木や他の反力部材を含む。また防護用ネットに作用する衝撃も落石に限定されず、雪崩、土石流、崩土等を含む。
【００３０】
＜１＞衝撃の伝達
防護用ネットの一部に衝撃が作用すると、この衝撃は連結用緩衝具４０を介して上下方向に連続性を持たせた連続輪要素１０Ａ，１０Ｂ，１０Ｃ・・・に伝達され、さらに各連続輪要素１０Ａ，１０Ｂ，１０Ｃ・・・においては閉鎖用緩衝具３０を介して横方向に連続性を持たせた単体輪２０ａ，２０ｂ，２０ｃに伝達される。
このように防護用ネットの一部に作用した衝撃がネット全体に伝達される。
【００３１】
＜２＞単体輪の拡縮変形
図３は防護用ネットの中央部に衝撃が作用した形態を示す。
衝撃作用前の防護用ネットは各単体輪２０ａ，２０ｂ，２０ｃ・・・は整然と千鳥状に配列されているが、衝撃が作用すると受撃位置からの距離によって各単体輪２０ａ，２０ｂ，２０ｃ・・・の変形形態が相違する。
すなわち、衝撃が作用した部位の近傍に位置する単体輪は縮径し、その外側に位置する単体輪は拡径するように変形する。
本発明に係る防護用ネットは、隣り合う左右の各単体輪２０ａ，２０ａ・・・（２０ｂ，２０ｂ・・・、２０ｃ，２０ｃ・・・）の間が絡み合っていないので、各単体輪２０ａ，２０ａ・・・（２０ｂ，２０ｂ・・・、２０ｃ，２０ｃ・・・）の拡縮が阻害されず、効率よく衝撃を吸収することができる。
以下に各単体輪２０ａ，２０ｂ，２０ｃ・・・の拡縮変形について詳しく説明する。
【００３２】
＜２．１＞単体輪の縮径
図示した形態について説明すると、中央に位置する連続輪要素１０Ｃを構成する橋絡部２１ｂに引張力が作用する。この引張力が閉鎖用緩衝具３０の把持力を越えるとロープ材２０が摺動して各単体輪２０ｂが縮径する。
各単体輪２０ｂ，２０ｂ・・・の縮径量は衝突位置が最も大きく、衝突位置から離れるにしたがって縮径量が小さくなる。
各単体輪２０ｂの底部が連結用緩衝具４０を介して下段の橋絡部２１ｃに連結されているが、各単体輪２０ｂの連結位置が単体輪２０ｂの中間地点であるため、連結用緩衝具４０は単体輪２０ｂの拡径に悪影響を与えない。
他の連続輪要素１０Ｂ，１０Ｄについても上記と同様である。
【００３３】
＜２．２＞単体輪の拡径
最外方に位置する１０Ａ，１０Ｅについては、各単体輪２０ａ，２０ｅに引張力が作用する。
この引張力が閉鎖用緩衝具３０の把持力を越えると各単体輪２０ａ，２０ｅは拡径する。
各単体輪２０ａ，２０ｅの拡径量は衝突位置から離れるにしたがって大きくなる。
各単体輪２０ｂの底部（中間地点）が連結用緩衝具４０を介して下段の橋絡部２１ｃに連結されているので、連結用緩衝具４０は単体輪２０ｂの拡径に悪影響を与えない。
【００３４】
＜３＞縦横方向へ向けたネットの伸長量
複数の連続輪要素１０Ａ，１０Ｂ，１０Ｃ・・・を横向きにして多段的に配置することで、防護用ネットは縦方向の伸長量に対して横方向へ向けた伸長量が卓越する。
防護用ネットを防護柵の防護ネットに適用した場合、上記した特性はネットの上下辺の柵高変位を小さく抑制できるとともに、ネットの横方向へ向けた撓み変形量を大きく確保できてネットによる衝撃吸収性能の向上が可能となる。
【００３５】
＜４＞ネットの変形性
複数のリング体を絡み合わせた従来の防護用ネットは、リング体の変形量が小さいために、ネット全体の変形性に問題があった。
これに対して本発明では、各単体輪２０ａ，２０ｂ，２０ｃ・・・の縮径変形量が従来と比べて大幅に増大するため、ネット全体の変形性（フレキシビリティー）が高まって衝撃吸収性能が格段に向上する。
【００３６】
＜５＞防護ネットの用途例
防護ネットは落石防護柵に限定されるものではなく、支柱を具備しない土石流、崩土、津波等の減衰用途に適用することも可能である。
用途が何れであっても、防護ネットの相対向する一対の側辺、または四辺を反力部材に固定して使用する。
【符号の説明】
【００３７】
１０Ａ，１０Ｂ，１０Ｃ・・・連続輪要素
２０・・・・・ロープ材
２０ａ・・・・連続輪要素１０Ａを構成する単体輪
２０ｂ・・・・連続輪要素１０Ｂを構成する単体輪
２０ｃ・・・・連続輪要素１０Ｃを構成する単体輪
２１ａ・・・・連続輪要素１０Ａを構成する橋絡部
２１ｂ・・・・連続輪要素１０Ｂを構成する橋絡部
２１ｃ・・・・連続輪要素１０Ｃを構成する橋絡部
２１・・・・・コンクリート基礎の天端
２５・・・・・端ロープ
３０・・・・・閉鎖用緩衝具
４０・・・・・連結用緩衝具
【図１】
0005886892.tif 000002
【図２】
0005886892.tif 000003
【図３】
0005886892.tif 000004
【図４】
0005886892.tif 000005